(57)【要約】【課題】現場での導水管の接続作業が容易かつ安全で一人作業が可能なスプリンクラーシステムの設置方法を提供すること。【解決手段】建物の天井に点在配置された各スプリンクラーヘッドと、消火用の水の供給部に接続され少なくともスプリンクラーヘッドの数の分岐口を有する多口継手と、多口継手の各分岐口と各スプリクラーヘッドを連通接続する導水管と、導水管と分岐口とを接続する簡易継手と、を有するスプリンクラーシステムの設置方法において、簡易継手は、少なくとも導水管との接続端部が差し込み動作にて結合可能な構成を有し、分岐口との接続端部と導水管との接続端部とは相互に回転可能に構成されており、設置現場への運搬前の段階で、複数の簡易継手のみを、予め各分岐口に取り付ける簡易継手取付工程を行い、設置現場の建物の天井裏で、導水管を簡易継手の接続端部に差し込み結合する導水管差込み工程を行うことを特徴とする。【選択図】図１
2019076166.tif 000002
【特許請求の範囲】
【請求項１】
建物の天井に点在配置された各スプリンクラーヘッドと、消火用の水の供給部に接続され少なくとも前記スプリンクラーヘッドの数の分岐口を有する多口継手と、該多口継手の各分岐口と前記各スプリクラーヘッドを連通接続する導水管と、該導水管と前記分岐口とを接続する簡易継手と、を有するスプリンクラーシステムの設置方法において、
前記簡易継手は、少なくとも前記導水管との接続端部が差し込み動作にて結合可能な構成を有し、前記分岐口との接続端部と導水管との接続端部とは相互に回転可能に構成されており、
設置現場への運搬前の段階で、複数の前記簡易継手のみを、予め前記各分岐口に取り付ける簡易継手取付工程を行い、
前記設置現場の建物の天井裏で、前記導水管を前記簡易継手の前記接続端部に差し込み結合する導水管差込み工程を行うことを特徴とするスプリンクラーシステムの設置方法。
【発明の詳細な説明】
【技術分野】
【０００１】
本発明は、消火用の水の供給源である給水管とスプリンクラーヘッドとを連通接続するスプリンクラーシステムの設置方法に関する。
【背景技術】
【０００２】
建物の各階の天井には、火災発生時に消火用の水を放出するスプリンクラーヘッドが所定の間隔を置いて設置されている。図５は、各階の天井裏において、消火用の水を供給する給水管１０とスプリンクラーヘッド２６とが多口継手１８を介して導水管２２により連通接続されているスプリンクラーシステムの様子を示す。但し、スプリンクラーヘッド２６は誇張して示している。図５に示すスプリンクラーシステムでは、一例として天井裏に配された１本の給水管１０と、１６個のスプリンクラーヘッド２６とが、２台の多口継手１８と１６本の導水管２２を用いて接続されている。１台の多口継手１８には、８個の分岐口１８ａがあり、給水管１０の給水部１２に接続されている。導水管２２の多口継手１８からスプリンクラーヘッド２６までの長さはそれぞれ異なる。導水管２２は、可撓性があるアルミニウム複合樹脂管で構成され、曲げるとその形状を保持するものである（特許文献１参照）。
【０００３】
多口継手１８と導水管２２の接続には、ワンタッチ継手２０が使用される（特許文献１参照）。ワンタッチ継手２０は、回転機構を有し気密性、水密性が保たれる構成になっている。
【０００４】
建物の天井裏でスプリンクラーシステムを設置する作業は、作業空間が狭く場合によっては高所であることから、現状では所謂プレハブ工法を呼ばれる方法を採用している。以下、プレハブ工法を簡単に説明する。
【０００５】
プレハブ工法とは、工場内の広い作業空間で、予め、多口継手１８に複数本の導水管２２を、ワンタッチ継手２０を用いて全て接続して１つの組立体（アセンブリと称する）を製造する。そして、この組立てたアセンブリを現場に搬入し、現場では、アセンブリの多口継手１８を給水管１０の給水部１２に取り付け、次いで各導水管２２を各スプリンクラーヘッド２６の取付位置に延伸して連通接続するという方法である。
【０００６】
導水管２２は予め設計図等により決められた長さに切断され、現場に搬入し易いように巻回される。また、導水管２２には、現場でスプリンクラーヘッド２６の取り付けが容易なように、スプリンクラーヘッド用継手２４（特許文献１参照）が取り付けられる。このスプリンクラー用継手２４は、後述しているように、八角体の中空パイプであり、スプリンクラーヘッド２６が螺合できるように先端部の内周面に雌ネジが切られている。スプリンクラーヘッド用継手２４は、回転機構を有し、気密性、水密性が保たれる構成であり、また水の流れる方向を９０度変えるようにエルボ形状を有している。
【０００７】
図６は、上記のように多口継手１８にワンタッチ継手２０、導水管２２、及びスプリンクラーヘッド用継手２４が全て取り付けられたアセンブリ３０の様子を示す。図６（ａ）はアセンブリ３０の平面図、図６（ｂ）はアセンブリ３０の側面図である。
【０００８】
全ての部材が接続されたアセンブリ３０は現場である天井裏に搬入される。現場において、多口継手１８を給水管１０に取り付ける。図７は、その取り付けの様子を示す。多口継手１８のフランジ部１６と、導水管１０の給水部１２に取り付けられた接続用フランジ１４とがボルト等により接続される。この接続の際には、各導水管２２の長さはバリエーションがあるので、多口継手１８を回転して各導水管２２の方向を合わせる必要がある。その後、導水管２２を各スプリンクラーヘッド２６まで伸張し、スプリンクラーヘッド用継手２４を所定の取付具で天井裏に固定し、スプリンクラーヘッド用継手２４にスプリンクラーヘッド２６を螺合して作業が完了する。
【先行技術文献】
【特許文献】
【０００９】
【特許文献１】特開２０１４−１１４９３０号公報
【発明の概要】
【発明が解決しようとする課題】
【００１０】
前もって多口継手１８に導水管２２を取り付けたアセンブリ３０を現場に搬入し、多口継手１８を給水管１０に取り付け、その後、導水管２２を延伸してスプリンクラーヘッドを取り付けるというプレハブ工法には以下の問題点があった。
【００１１】
導水管２２が多口継手１８に複数本接続された状態では、アセンブリ３０の総重量が大きくなり、狭い天井裏や高所に搬入することは危険を伴い、一人作業は困難であった。また、導水管２２は、長さにバリエーションがあり、多口継手１８における設置位置を管理する必要があり、導水管２２の方向を合わせるために狭い天井裏や高所でのアセンブリ３０を回転する作業は困難であり、危険が伴っていた。更に、アセンブリ３０は大型で嵩張るため、アセンブリ３０を現場に搬入するまでの保管場所の確保が困難であった。
【００１２】
本発明は、上記課題に鑑みてなされたものであり、その目的は、現場での導水管の接続作業が容易かつ安全で一人作業が可能なスプリンクラーシステムの設置方法を提供することにある。
【課題を解決するための手段】
【００１３】
上記目的を達成するため、請求項１に記載のスプリンクラーシステムの設置方法は、
建物の天井に点在配置された各スプリンクラーヘッドと、消火用の水の供給部に接続され少なくとも前記スプリンクラーヘッドの数の分岐口を有する多口継手と、該多口継手の各分岐口と前記各スプリクラーヘッドを連通接続する導水管と、該導水管と前記分岐口とを接続する簡易継手と、を有するスプリンクラーシステムの設置方法において、
前記簡易継手は、少なくとも前記導水管との接続端部が差し込み動作にて結合可能な構成を有し、前記分岐口との接続端部と導水管との接続端部とは相互に回転可能に構成されており、設置現場への運搬前の段階で、複数の前記簡易継手のみを、予め前記各分岐口に取り付ける簡易継手取付工程を行い、前記設置現場の建物の天井裏で、前記導水管を前記簡易継手の前記接続端部に差し込み結合する導水管差込み工程を行うことを特徴とする。
【００１４】
この方法により、設置現場には簡易継手のみが取り付けられた多口継手と各導水管が別々に搬入される。したがって、プレハブ工法で問題であった重量物を狭い高所に搬入することに伴う危険性はなく、搬入作業も一人で行うことが可能である。すなわち、設置現場に搬入される簡易継手のみが取り付けられた多口継手、各導水管はそれぞれ軽量であり、嵩張らないため、容易に搬入することが可能で且つ搬入までの保管場所も自由度がある。
【００１５】
また、現場での導水管の多口継手への接続は、多口継手には設置現場への運搬前の段階で簡易継手が取り付けられているので、導水管を１本１本毎、その端部を多口継手に取り付けられた簡易継手の接続端部に差し込むだけで良い。
【００１６】
したがって、狭い場所や高所等の現場において、一人で安全に作業できる。また、単に差し込む作業なので、施工品質は安定しており、消防配管の施工資格のない作業者でも行うことが可能である。
【００１７】
更に、導水管は長さが異なっており、多口継手の適切な分岐口に挿入する必要があるが、多口継手における挿入位置は容易に選択できるので、従来のプレハブ工法で問題であった多口継手の回転調整の作業は必要ない。
【発明の効果】
【００１８】
本発明のスプリンクラーシステムの設置方法によれば、簡易継手のみが予め取り付けられた多口継手と導水管は別々に現場に搬入されるので、背景技術で示した様な重量物を狭い高所に搬入することに伴う危険性はない。また、多口継手に簡易継手が、設置現場への運搬前の段階で既に接続されているため、現場での導水管の接続作業は、導水管を１本１本毎、その一端を簡易継手の接続端部に差し込むだけで良い。したがって、狭い場所や高所等の作業し難い現場においても、一人で安全に作業できる。また、単に差し込むだけの作業であるので施工品質は安定しており、消防配管の施工資格のない作業者でも行うことが可能である。
【図面の簡単な説明】
【００１９】
【図１】本発明のスプリンクラーシステムの設置方法のフロー図である。
【図２】本発明のスプリンクラーシステムの設置方法の実施の形態に係り、簡易継手取付工程の様子を示す。
【図３】本発明のスプリンクラーシステムの設置方法の実施の形態に係り、多口継手接続工程の様子を示す。
【図４】本発明のスプリンクラーシステムの設置方法の実施の形態に係り、導水管差込み工程の様子を示す。
【図５】スプリンクラーヘッドと給水管が導水管により接続されているスプリンクラーシステムの様子を示す。
【図６】従来のスプリンクラーシステムの設置方法に係り、同図（ａ）はアセンブリの平面図、同図（ｂ）はアセンブリの側面図を示す。
【図７】図６のアセンブリの給水部への取り付けの様子を示す。ただし、導水管は巻回された状態を或る程度解いた状態を示している。
【発明を実施するための形態】
【００２０】
本発明の実施の形態を以下、図面を用いて詳述する。図１は、本発明のスプリンクラーシステムの設置方法のフロー図である。本発明のスプリンクラーシステム設置方法は、工場内での多口継手の各分岐口への簡易継手取付工程（ステップＳ１）、多口継手に簡易継手が接続された状態での部材搬入工程（ステップＳ２）、現場での給水部への多口継手接続工程（ステップＳ３）及び現場での簡易継手への導水管差込み工程（ステップＳ４）の各工程を有する。以下、各工程について説明する。
【００２１】
図２は、工場内での多口継手の各分岐口への簡易継手取付工程（ステップＳ１）の様子を示す。本実施の形態では、簡易継手は、ワンタッチ継手を用いている（特許文献１参照）。ワンタッチ継手２０は、多口継手１８の分岐口１８ａに取り付けられる接続端部２０ａと導水管が差し込み動作にて結合可能な接続端部２０ｂを有し、分岐口１８ａとの接続端部２０ａと導水管との接続端部２０ｂとは相互に回転可能に構成されている。すなわち、ワンタッチ継手２０は、回転機構を有し、気密性、水密性が保たれる構成になっている。
【００２２】
この簡易継手取付工程では、設置場所への運搬前の段階、例えば、工場内で多口継手１８の各分岐口１８ａにワンタッチ継手２０のみを取り付ける作業が行われる。多口継手１８は、スプリンクラーシステムを設置しようとする天井裏の給水部１２に接続されている接続用フランジ１４から取り外し、工場内に搬入したものである。若しくは工場内に保管している別の多口継手であっても良い。本実施の形態では、多口継手１８は８個の分岐口１８ａを有しているものを使用している。
【００２３】
多口継手１８の分岐口１８ａへのワンタッチ継手２０の取り付けは、ワンタッチ継手２０の接続端部２０ａを分岐口１８ａに螺合させることにより行われる。多口継手１８の８個の分岐口１８ａにそれぞれワンタッチ継手２０のみを螺合接続する作業は、作業空間の広い工場内において行われる。したがって、この作業は、広い作業空間で行えること、ワンタッチ継手２０は軽量であることから、作業品質を損なうことなく行うことができる。
【００２４】
次に、多口継手に簡易継手が接続された状態での部材搬入工程（ステップＳ２）を行う。部材とは、上述のワンタッチ継手２０のみが取り付けられた多口継手１８と複数本の導水管２２であり、工場から設置現場（天井裏）に搬入される。本実施の形態では、多口継手１８は８個の分岐口１８ａを有しているので、１台の多口継手１８につき導水管２２は８本である。導水管２２は、アルミニウム複合樹脂管であり、それぞれ長さは、多口継手１８の分岐口１８ａからスプリンクラーヘッドの設置場所までの距離に調整されており、１本１本毎に長さが異なる。導水管２２の端部には、スプリンクラーヘッドが取り付けられるスプリンクラーヘッド用継手２４が取り付けられ、搬入のために導水管２２は巻回される。
【００２５】
ワンタッチ継手２０のみが取り付けられた多口継手１８、巻回された８本の導水管２２は、それぞれ別々に搬入することができるので、現場への搬入は一人作業が可能であり容易に行うことができる。すなわち、別々に現場に搬入されるので、従来のプレハブ工法のような重量物の搬入作業はなく安全に行うことができる。また、搬入するまでの保管場所に関しても、それぞれの部材は嵩張らないので自由度がある。
【００２６】
図３は、現場での給水部への多口継手接続工程（ステップＳ３）を示す。この工程では、各分岐口１８ａにワンタッチ継手２０のみが接続された多口継手１８を、給水管１０の給水部１２と接続する作業が行われる。
【００２７】
作業は、給水管１０の給水部１２に取り付けられた接続用フランジ１４と、多口継手１８のフランジ部１６とを接続する。この接続は、各フランジの接続面を合わせて、ボルトとナット等（図していない）の通常の接続方法により行うことが可能である。多口継手１８のフランジ部１４と接続用フランジ１６との接続面を合わせる場合に、多口継手１８の分岐口１８ａにはワンタッチ継手２０以外、何も接続されていないので、多口継手１８を回転して特定の位置に調整する必要はなく、一人で安全に作業することができる。なお、多口継手１８と多口継手の接続用フランジ１６とは、一体形成されていることを前提にしているが、それぞれを組み立てたものであっても構わない。
【００２８】
図４は、現場での簡易継手への導水管差込み工程（ステップＳ４）の様子を示す。この工程では、現場において、図４に示すように、１本１本搬入された導水管２２の、スプリンクラーヘッド用継手２４が取り付けられていない端部２２ａを、多口継手１８に取り付けられたワンタッチ継手２０の接続端部に差し込み結合する作業が行われる。この作業は、導水管２２をワンタッチ継手２０に差し込むだけなので、狭い天井裏において一人で容易に作業することが可能である。また、単に差し込む作業なので、施工品質は安定しており、消防配管の施工資格のない作業者でも行うことが可能である。
【００２９】
なお、スプリンクラーヘッド用継手２４は、回転機構を有し、気密性、水密性が保たれており、導水管２２が差し込まれる端部２４ａと、エルボ型の取付け部２４ｂを有する。取付け部２４ｂは、中空の８角形状であり、先端部２４ｃの内側内周面には、スプリンクラーヘッド２６が螺合するように雌ネジが切られている。また、導水管２２が差し込まれる端部２４ａとスプリンクラーヘッドが取り付けられる取り付ける２４ｂの先端部２４ｃとでは、水流の方向が９０度変化するが、これはスプリンクラーヘッドと導水管の接続を容易にするためである。
【００３０】
本実施の形態のスプリンクラーシステムの設置方法によれば、工場内で多口継手１８の各分岐口１８ａにワンタッチ継手２０のみを取り付けておき、現場にこのワンタッチ継手２０のみが取り付けられた多口継手２０と各導水管２２をそれぞれ搬入する。現場では、導水管２２は１本１本ずつ、その一端を多口継手１８に螺合接続したワンタッチ継手２０の接続端部に差し込み結合させる。したがって、重量物の運搬作業はなく、狭い場所や高所等の作業し難い現場においても一人で安全に作業できる。更に、導水管２２はワンタッチ継手２０に単に差し込めば良いので、施工品質は安定しており、消防配管の施工資格のない作業者でも行うことが可能である。
【００３１】
なお、本発明は、上述の実施の形態に限定されるものではなく、本発明の趣旨を逸脱しない範囲で種々の変更が可能である。例えば、多口継手１８は８個の接続口を有するものを示したがこれに限らない。また、導水管２２は、アルミニウム複合樹脂管により構成されたものを示したが、これに限らない。更に、スプリンクラーヘッドを取り付けるためのスプリンクラーヘッド用継手２４が導水管２２に接続されたものを現場に搬入するようにしたが、現場において導水管２２にスプリンクラーヘッド用継手２４を取り付けても良い。また、スプリンクラーヘッド用継手２４は、エルボ型のものを例示したがこれに限らない。
【００３２】
更に、簡易継手はワンタッチ継手（特許文献１参照）を用いたが、同様の機能を有する継手であればワンタッチ継手に拘らない。すなわち、一方の接続端部が導水管を差し込む結合できるものであれば良く、また他方の接続端部は、本実施の形態では、多口継手の分岐口に螺合するものを例示したが、これに拘らない。また、簡易継手取付工程では、複数のワンタッチ継手のみを、設置現場への運搬前の段階で、多口継手のそれぞれの分岐口に螺合接続する作業が行われる。本実施の形態では、この作業を工場内の広い空間で行っているが、安全に作業できれば工場内に限られない。
【符号の説明】
【００３３】
１０  給水管
１２  給水部
１４  接続用フランジ
１６  多口継手のフランジ部
１８  多口継手
１８ａ  分岐口
２０  ワンタッチ継手（簡易継手）
２２  導水管
２４  スプリンクラーヘッド用継手
２６  スプリンクラーヘッド
３０  アセンブリ
【図１】
2019076166.tif 000003
【図２】
2019076166.tif 000004
【図３】
2019076166.tif 000005
【図４】
2019076166.tif 000006
【図５】
2019076166.tif 000007
【図６】
2019076166.tif 000008
【図７】
2019076166.tif 000009